(57)【要約】【課題】落下防止が図られた電子機器を提供する。【解決手段】電子機器１０において、機器本体１００と、機器本体１００をつり下げるためのストラップ１１と、ストラップ１１を機器本体内に巻き取るストラップ巻取機構１７０と、機器本体１００に設けられ操作によって機器本体の動作状態を切り替える操作部１０１ａ，１１０と、ストラップ巻取機構１７０を制御し、操作部によって機器本体が所定の動作状態に切り替えられた場合に、ストラップ巻取機構１７０にストラップ１１を巻き取らせる巻取制御部１１０とを備えたことを特徴とする。【選択図】        図７
2008096658.tif 000002
【特許請求の範囲】
【請求項１】
機器本体と、
前記機器本体をつり下げるためのストラップと、
前記ストラップを前記機器本体内に巻き取るストラップ巻取機構と、
前記機器本体に設けられ操作を受けて前記機器本体の動作状態を切り替える操作部と、
前記ストラップ巻取機構を制御し、前記操作部によって前記機器本体が所定の動作状態に切り替えられた場合に、前記ストラップ巻取機構に前記ストラップを巻き取らせる巻取制御部とを備えたことを特徴とする電子機器。
【請求項２】
前記ストラップ巻取機構によって前記ストラップが巻き取られる巻取りの荷重を検出する荷重センサを備え、
前記巻取制御部が、前記荷重センサによって検出される荷重が所定の巻取荷重目標値に達するまで、前記ストラップ巻取機構に前記ストラップを巻き取らせるものであることを特徴とする請求項１記載の電子機器。
【請求項３】
前記巻取制御部によって設けられる前記巻取荷重目標値を、操作に応じた値に更新する荷重更新部を備えたものであることを特徴とする請求項２記載の電子機器。
【請求項４】
前記操作部が、前記機器本体の動作状態を稼動状態と停止状態との間で切り替えるものであり、
前記ストラップ巻取機構が、巻き取られた該ストラップを該機器本体の外部に繰り出す機能を有するものであり、
前記巻取制御部が、前記操作部によって前記機器本体が稼動状態に切り替えられた場合に、前記ストラップ巻取機構に前記ストラップを巻き取らせ、該操作部によって該機器本体が停止状態に切り替えられた場合に、該ストラップ巻取機構に該ストラップを該機器本体の外部に繰り出させるものであることを特徴とする請求項１記載の電子機器。
【請求項５】
画像を撮影する画像撮影部を備えたことを特徴とする請求項１記載の電子機器。
【請求項６】
前記ストラップ巻取機構は、通電により形状が変化することで前記ストラップを巻き取る、形状記憶合金からなるアクチュエータを有するものであることを特徴とする請求項１記載の電子機器。
【発明の詳細な説明】
【技術分野】
【０００１】
本発明は、電子機器に関し、特に機器本体をつり下げるためのストラップを有する電子機器に関する。
【背景技術】
【０００２】
機器本体にストラップを取り付けて携帯性を向上させた電子機器が広く普及している。例えば、特許文献１には、ストラップが、環を形成するよう本体に取り付けられたカメラが示されている。さらに、このカメラには、ストラップを巻き取るリール、およびストラップを挟むことによって巻取りを止めるストッパも設けられている。カメラの使用者が、途中までリールに巻き取らせた状態のストラップをストッパによって固定することでストラップ長を自由に調整することができ、手首を通すことでハンドストラップとして使用したり、あるいはネックストラップとして使用したりすることができる。
【特許文献１】特開２００４−１３００４号公報
【発明の開示】
【発明が解決しようとする課題】
【０００３】
しかしながら、特許文献１に示されたカメラでは、使用者がストラップの長さ調節を怠ってしまい、例えば長いままのストラップに手首を通した状態でカメラを使用していると、手首がストラップから抜けてカメラが落下するおそれがある。そしてこのことは、カメラだけでなく、ストラップを有する電子機器に共通する問題である。
【０００４】
本発明は、上記事情に鑑み、落下防止が図られた電子機器を提供することを目的とする。
【課題を解決するための手段】
【０００５】
上記課題を解決する本発明の電子機器は、
機器本体と、
上記機器本体をつり下げるためのストラップと、
上記ストラップを上記機器本体内に巻き取るストラップ巻取機構と、
上記機器本体に設けられ操作を受けて上記機器本体の動作状態を切り替える操作部と、
上記ストラップ巻取機構を制御し、上記操作部によって上記機器本体が所定の動作状態に切り替えられた場合に、上記ストラップ巻取機構に上記ストラップを巻き取らせる巻取制御部とを備えたことを特徴とする。
【０００６】
本発明の電子機器では、操作を受けて機器本体が所定の動作状態に切り替えられるとともにストラップが巻き取られる。このため、例えば使用者が電子機器を取り出した後、ストラップに手首を通しておくだけで、ストラップが動作状態に応じて巻き取られて手が固定されるため、使用者によるストラップ長の調整なしで電子機器の落下が防止される。
【０００７】
ここで、上記本発明の電子機器が、上記ストラップ巻取機構によって上記ストラップが巻き取られる巻取りの荷重を検出する荷重センサを備え、
上記巻取制御部が、上記荷重センサによって検出される荷重が所定の巻取荷重目標値に達するまで、上記ストラップ巻取機構に上記ストラップを巻き取らせるものであることが好ましい。
【０００８】
ストラップは、所定の巻取荷重目標値に達するまで巻き取られるので、ストラップの長さが、ストラップに通されている例えば手首等の大きさに合わせて適切に調整される。このため、手首等がストラップからすり抜けるおそれがさらに低減される。
【０００９】
また、上記本発明の電子機器が、上記巻取制御部によって設けられる上記巻取荷重目標値を、操作に応じた値に更新する荷重更新部を備えたものであることが好ましい。
【００１０】
巻取荷重目標値が操作によって更新されるので、使用者がストラップの状態を巻取りの都度調整することなしに、好みの固定強さが得られる。
【００１１】
また、上記本発明の電子機器において、
上記操作部が、上記機器本体の動作状態を稼動状態と停止状態との間で切り替えるものであり、
上記ストラップ巻取機構が、巻き取られたこのストラップをこの機器本体の外部に繰り出す機能を有するものであり、
上記巻取制御部が、上記操作部によって上記機器本体が稼動状態に切り替えられた場合に、上記ストラップ巻取機構に上記ストラップを巻き取らせ、この操作部によってこの機器本体が停止状態に切り替えられた場合に、このストラップ巻取機構にこのストラップをこの機器本体の外部に繰り出させるものであることが好ましい。
【００１２】
機器本体が稼動状態に切り替えられた場合にストラップが巻き取られ、機器本体が停止状態に切り替えられた場合にストラップが繰り出されるので、使用者による調整の手間無しに、稼動状態では電子機器の落下が防止され、停止状態では手首等がストラップから容易に外れる。
【００１３】
また、上記本発明の電子機器は、画像を撮影する画像撮影部を備えたことが好ましい。
【００１４】
この好ましい形態においては、撮影時に使用者に与えるホールド感が高く、また、撮影時の手ぶれが抑えられる。
【００１５】
また、上記本発明の電子機器において、上記ストラップ巻取機構は、通電により形状が変化することで上記ストラップを巻き取る、形状記憶合金からなるアクチュエータを有するものであることが好ましい。
【００１６】
形状記憶合金からなるアクチュエータが採用されることで、ストラップ巻取機構が小型化する。
【発明の効果】
【００１７】
本発明によれば、ストラップに例えば手首を通しておくだけで、ストラップが動作状態に応じて巻き取られて締まるため、電子機器の落下が防止される。
【発明を実施するための最良の形態】
【００１８】
以下図面を参照して本発明の電子機器の実施の形態を説明する。
【００１９】
［第１実施形態］
図１および図２は、本発明の第１実施形態であるデジタルカメラを示す外観図である。図１はデジタルカメラを正面斜め上方から見た図であり、図２は背面斜め上方から見た図である。
【００２０】
図１に示すデジタルカメラ１０は、カメラ本体１００と、このカメラ本体１００をつり下げるためのハンドストラップ１１とを有している。カメラ本体１００が本発明にいう機器本体の一例に相当し、ハンドストラップ１１が本発明にいうストラップの一例に相当する。
【００２１】
カメラ本体１００では、レンズ鏡胴１９０内に内蔵された撮影光学系を通してカメラ本体１００内部に配備されているＣＣＤ固体撮像素子まで、被写体からの光が導かれる。このデジタルカメラ１０では、後述するＣＣＤ固体撮像素子でスルー画や撮影画像を表す画像信号が生成される。
【００２２】
図１に示すカメラ本体１００のレンズ鏡胴１９０上方には、ファインダ１０５および被写体に向けて補助光を照射するフラッシュ１６０が配備されている。また、図２に示すようにカメラ本体１００の背面および上面には、ユーザがこのデジタルカメラ１０を使用するときにいろいろな操作を行うための操作スイッチが設けられている。この操作スイッチの中には、カメラ本体１００を作動させるための電源スイッチ１０１ａの他、十字キー１０１ｂ、メニュー／ＯＫキー１０１ｃ、キャンセルキー１０１ｄ、撮影モードレバー１０１ｅなどがある。電源スイッチ１０１ａがオン状態に操作されると、カメラ本体１００は、撮影が可能な稼動状態となり、電源スイッチ１０１ａがオフ状態に操作されると、カメラ本体１００は停止状態となる。また、カメラ本体１００の背面には画像表示ＬＣＤ１５０も設けられている。
【００２３】
ハンドストラップ１１は、手等を通すための環を形成するようにカメラ本体１００に取り付けられており、中間には巻込防止具１２が設けられている。図２に示すように、ハンドストラップ１１の一端は、カメラ本体１００に固着された固定端１１ａとなっている。ハンドストラップ１１の他端の側は、カメラ本体１００に形成されたストラップ孔１０７を通り抜け、カメラ本体１００内部に設けられた巻取機構１７０に取り付けられている。巻取機構１７０はハンドストラップ１１を巻き取る機能と、この逆に、巻き取られたハンドストラップ１１を繰り出す機能とを有している。巻取機構１７０は、カメラ本体１００内部に固定された荷重センサ１８０に接続されている。巻取機構１７０が、本発明にいうストラップ巻取機構の一例に相当する。
【００２４】
カメラ本体１００に設けられた操作スイッチのうち電源スイッチ１０１ａがオフ側からオン側に切り替えられると、カメラ本体１００が撮影可能な稼動状態となり、画像表示ＬＣＤ１５０にスルー画が表示される。また、このとき、巻取機構１７０がハンドストラップ１１を巻き取る。ハンドストラップ１１は、環の中に使用者の手首が通されている場合にこの手首を適度に固定する程度の強さで巻き取られる。この後、レリーズ釦１０２が押されると被写体の撮影が行われる。
【００２５】
図３は、図１のカメラ本体１００内部に設けられた巻取機構１７０および荷重センサ１８０の構成を模式的に示す図である。
【００２６】
巻取機構１７０は、モータ１７１と、モータ１７１の軸に取り付けられたウォーム１７２と、このウォーム１７２に接して設けられた円盤状のウォームホイール１７３と、ウォームホイール１７３の中心に固定された円筒状の巻き芯１７４とを有している。モータ１７１は台座１７５に固定されており、ウォームホイール１７３および巻き芯１７４は台座１７５に回転自在に支持されている。ウォームホイール１７３は、周に歯が形成されており、この歯がウォーム１７２に形成されたねじ状の歯に合わせられて配置されている。巻き芯１７４には、ハンドストラップ１１の固定端１１ａとは反対側の端である巻取端１１ｂが接続されている。
【００２７】
荷重センサ１８０は、荷重を電気信号に変換するロードセルからなり、一方が巻取機構１７０の台座１７５に接続され、他方がカメラ本体１００に接続されている。
【００２８】
巻取機構１７０のモータ１７１が回転すると、ウォーム１７２を介してウォームホイール１７３が回転駆動され、巻き芯１７４にハンドストラップ１１が巻き取られる。このとき、巻取機構１７０がハンドストラップ１１を巻き取る荷重と等しい大きさの荷重Ｆが、荷重センサ１８０に加わる。したがって、巻取機構１７０がハンドストラップ１１を巻き取る荷重が、荷重センサ１８０から出力される電気信号によって電気的に検出される。モータ１７１が逆向きに回転すると、巻取機構１７０は巻き芯１７４に巻き取られていたハンドストラップ１１をカメラ本体１００の外部に繰り出す。
【００２９】
図４は、巻込防止具１２の構造を示す断面図である。
【００３０】
巻込防止具１２は、ハンドストラップ１１を固定端１１ａ側の一部と巻取端１１ｂ（図３参照）側の一部の２箇所で取り囲んで設けられている。この２箇所のうち、ハンドストラップ１１の固定端１１ａ側の部分は巻込防止具１２に固着されているが、巻取端１１ｂ（図３参照）側の部分は、巻込防止具１２を貫通して形成された孔１２ａに遊びを有した状態で通されており、巻込防止具１２に対して矢印で示す方向に自由に移動可能となっている。巻取機構１７０がハンドストラップ１１を巻き取ると、ハンドストラップ１１は、巻込防止具１２の孔１２ａを通ってカメラ本体１００の内部に巻き取られていく。ハンドストラップ１１は、手が通されていない状態で巻き取られても、巻込防止具１２の部分がカメラ本体１００の外部に残されるため、後の繰出しがスムーズ行われる。
【００３１】
図５は、図１および図２のデジタルカメラ１０におけるカメラ本体１００内部の電気的構成を示すブロック図である。
【００３２】
図５を参照してカメラ本体１００内部の各部を説明する。
【００３３】
デジタルカメラ１０では、巻取機構１７０の動作を含むすべての処理がメインＣＰＵ１１０によって制御されていて、このメインＣＰＵ１１０の入力部には図２に示した各操作スイッチ１０１ａ〜１０１ｅからの操作信号がそれぞれ供給されている。メインＣＰＵ１１０はＥＥＰＲＯＭ１１０ａを有しており、このＥＥＰＲＯＭ１１０ａの中にはデジタルカメラ１０として動作するために必要なプログラム、および巻取機構１７０がハンドストラップ１１を巻き取る荷重の上限目標である巻取荷重目標値等の各種パラメータが書き込まれている。このような構成を持つデジタルカメラ１０において、電源スイッチ１０１ａがオン状態に切り替えられて電源が投入されると、ＥＥＰＲＯＭ１１０ａ内のプログラムの手順にしたがってＣＰＵ１１０によりこのデジタルカメラ１０全体の動作が統括的に制御される。
【００３４】
画像信号の流れを、図５を参照して説明する。
【００３５】
電源スイッチ１０１ａ（図１参照）がオフ状態からオン状態に切り替えられると、メインＣＰＵ１１０により切替えが検知され、カメラ本体１００の動作状態が停止状態から稼動状態に切り替えられる。稼動状態では、電源１３０からメインＣＰＵ１１０、測光・測距ＣＰＵ１２０などの各ブロックに電力が供給される。また、メインＣＰＵ１１０は、ドライバ１７７からモータ１７１に駆動電流を供給させ、巻取機構１７０（図３参照）にハンドストラップ１１を巻き取らせる。また、メインＣＰＵ１１０は、荷重センサ１８０が出力する検知電圧をＡ／Ｄコンバータ１８１を介して監視する。メインＣＰＵ１１０は、検知電圧が、ＥＥＰＲＯＭ１１０ａに記憶された巻取荷重目標値に応じた電圧に達するまで、巻取機構１７０（図３参照）に巻取りを継続させ、検知電圧が巻取荷重目標値に応じた電圧に達すると巻取りを停止させる。電源スイッチ１０１ａ（図１参照）がオフ状態に切り替えられた場合には、カメラ本体１００が稼動状態から停止状態に切り替えられる。停止状態では、メインＣＰＵ１１０は、ドライバ１７７からモータ１７１に巻取りとは反対極性の駆動電流を供給させ、巻取機構１７０（図３参照）にハンドストラップ１１を繰り出させる。
【００３６】
再び稼動状態に戻って説明を続けると、撮影光学系１１１を通過した光によってＣＣＤ固体撮像素子１１２に結像された被写体像は画像信号として所定の間隔ごとに間引かれて出力され、その出力された画像信号に基づく被写体像が画像表示ＬＣＤ１５０に表示される。このＣＣＤ固体撮像素子１１２には、ＣＰＵ１１０からの指示に基づいてクロックジェネレータ（以下、ＣＧという）１１２１からタイミング信号が供給されており、タイミング信号は、後段のＡ／Ｄ部１１３、およびホワイトバランス調整・γ処理部１１４にも供給されている。したがって、ＣＣＤ固体撮像素子１１２、Ａ／Ｄ部１１３、ホワイトバランス・γ処理部１１４ではそのタイミング信号に同期して順序良く画像信号の処理が流れるように行われる。
【００３７】
Ａ／Ｄ部１１３、ホワイトバランスγ処理部１１４で処理が行われた後、ホワイトバランス処理部からＹＣ処理部へと画像信号がバスを通して供給される。バッファメモリ１１５は、ＹＣ処理部１１６への供給タイミングを調整するものであり、バッファメモリ１１５からは古い時刻に記憶された画像信号から先にＹＣ処理部１１６へ供給される。そのＹＣ処理部１１６に供給された画像信号は、ＲＧＢ信号からＹＣ信号に変換され、その後バス１２１を経由してその変換されたＹＣ信号が画像表示ＬＣＤ１５０側に供給される。この画像表示ＬＣＤ１５０の前段にはＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２を経由して画像表示ＬＣＤ１５０に供給される。この供給されたＲＧＢ信号に基づいて画像表示ＬＣＤ１５０に被写体像の画像表示が行われる。この画像表示ＬＣＤ１５０には撮影レンズが向けられた方向の被写体が被写体像として常に表示され続ける。使用者がこの表示され続けている被写体像を視認しながらレリーズ釦１０２を押すと、レリーズ釦１０２の押下タイミングを起点として所定の時間を経た後、ＣＣＤ固体撮像素子１１２に結像された画像信号すべてがＲＧＢ信号となって出力される。このＲＧＢ信号はＹＣ処理部１１６でＹＣ信号に変換され、さらに圧縮・伸張部１１７で圧縮され、その圧縮された画像信号がメモリカード１１９に記録される。この圧縮・伸張部１１７では静止画についてはＪＰＥＧ規格に準拠した圧縮方法で圧縮が行われてメモリカード１１９に画像信号がファイルとして記録される。記録されたファイルのヘッダ部には圧縮情報や撮影情報などが書き込まれる。また、この実施形態のデジタルカメラ１０には、メインＣＰＵ１１０の他にピント調整および露出調整を行うための測光・測距ＣＰＵ１２０が設けられており、この測光・測距ＣＰＵ１２０によって、撮影光学系１１１のフォーカスレンズ１１１０およびズームレンズ１１１１の位置制御、および絞り１１１２の制御が行われている。また、メインＣＰＵ１１０は、測光・測距ＣＰＵ１２０に指示を送信しフラッシュ１６０に補助光を照射させている。
【００３８】
撮影光学系１１１、ＣＣＤ固体撮像素子１１２、Ａ／Ｄ部１１３、ホワイトバランス・γ処理部１１４の組合せが、本発明にいう画像撮影部の一例に相当する。
【００３９】
ここで、図５に示すＥＥＲＰＯＭ１１０ａ内に記憶されたプログラム中の処理を説明する。
【００４０】
図６は、メインＣＰＵ１１０が行うメイン処理の手順を示すフローチャートである。
【００４１】
図６のメイン処理を、図３および図５も参照して説明すると、メインＣＰＵ１１０は、まず電源スイッチ１０１ａ（図１参照）がオン状態に切り替えられたか否かを判別する（ステップＳ１１）。電源スイッチ１０１ａ（図１参照）がオン状態に切り替えられたと判別されると、カメラ本体１００の動作状態が停止状態から稼動状態に切り替えられる（ステップＳ１２）。
【００４２】
次に、メインＣＰＵ１１０は、ドライバ１７７からモータ１７１に駆動電流を供給させてモータ１７１を駆動し、巻取機構１７０（図３参照）にハンドストラップ１１を巻き取らせる。これとともに、巻取機構１７０による巻取りは、巻取荷重が、所定の巻取荷重目標値に到達するまで（ステップＳ１４：Ｙｅｓ）継続される。より詳細には、メインＣＰＵ１１０が、荷重センサ１８０から出力された検知電圧をＡ／Ｄコンバータ１８１を介して監視し、検知電圧が、ＥＥＰＲＯＭ１１０ａに記憶された巻取荷重目標値に応じた電圧に到達すると、モータ１７１の駆動を停止する（ステップＳ１５）。
【００４３】
図７は、図１に示すデジタルカメラ１０で、ハンドストラップが巻き取られる様子を示す図である。ハンドストラップ１１は、巻取端１１ｂの側が巻込防止具１２内部を通過してカメラ本体１００内に入り、巻取機構１７０に巻き取られる。ハンドストラップ１１は、巻取荷重が巻取荷重目標値に達するまで巻き取られる。この結果、ハンドストラップ１１によって形成された環の中に使用者が手を入れていた場合には、ハンドストラップ１１の長さが手首の大きさに適切に合わせられ、手がハンドストラップ１１から抜けない。また、使用者の手がハンドストラップ１１によってカメラ本体１００に引き寄せられて固定される。
【００４４】
図６に戻って説明を続けると、メインＣＰＵ１１０は、メニュー／ＯＫキー１０１ｃ（図２参照）が操作されて設定モードとなっているか否かを判別する（ステップＳ１６）。設定モードでない場合には撮影処理が行われ（ステップＳ１７）、設定モードの場合には各種設定処理が行われる（ステップＳ１８）。撮影処理および設定処理は、電源スイッチ１０１ａ（図１参照）がオフ状態に切り替えられるまで継続される（ステップＳ１９：Ｎｏ）。
【００４５】
電源スイッチ１０１ａ（図１参照）がオフ状態に切り替えられたと判別されると（ステップＳ１９：Ｙｅｓ）、メインＣＰＵ１１０は、カメラ本体１００の動作状態を稼動状態から停止状態に切り替え（ステップＳ２０）、ドライバ１７７からモータ１７１に、巻取りとは逆極性の電流を供給させてモータ１７１を駆動し、巻取機構１７０（図３参照）にハンドストラップ１１を繰り出させ（ステップＳ２１）、処理を終了する。これによって、ハンドストラップ１１がカメラ本体１００外部で長くなり、使用者の手がハンドストラップ１１から容易に抜ける。
【００４６】
この図６に示すステップＳ１１およびステップＳ１２の稼動状態に設定する処理と、ステップＳ１９およびステップＳ２０の停止状態に設定する処理とが、図５に示すメインＣＰＵ１１０で実行されたときの、メインＣＰＵ１１０および電源スイッチ１０１ａの組合せが本発明にいう操作部の一例に相当する。また、図６に示すステップＳ１３およびステップＳ１５の巻取り駆動についての処理と、ステップＳ２１の繰出駆動の処理とが、図５に示すメインＣＰＵ１１０で実行されたときの、メインＣＰＵ１１０が本発明にいう巻取制御部の一例に相当する。
【００４７】
本実施形態のデジタルカメラ１０では、使用者による電源スイッチ１０１ａの操作を受けて機器本体が稼動状態に切り替えられると、ハンドストラップ１１が巻き取られる。このため、例えば、使用者がデジタルカメラ１０をバッグ等から取り出した後、ハンドストラップ１１に手首を通しておくだけで、ハンドストラップ１１が稼動状態に対応して巻き取られるため、デジタルカメラ１０の落下が防止される。また、カメラ本体１００が使用者の手に固定されるため、撮影時の手ぶれが抑えられる。
【００４８】
また、ハンドストラップ１１は、巻取荷重が所定の巻取荷重目標値に達するまで巻き取られるので、ハンドストラップ１１の長さが、ハンドストラップ１１に通されている手首の大きさに合わせて適切に調整される。このため、手首等がハンドストラップ１１からすり抜けるおそれがさらに低減される。また、ストラップによるホールド感が向上し、落下に対する使用者の不安が低減され、使用者が撮影により専念できる。
【００４９】
また、カメラ本体１００が稼動状態に切り替えられた場合にハンドストラップ１１が巻き取られる一方、カメラ本体１００が停止状態に切り替えられた場合にハンドストラップ１１が繰り出されるので、稼動状態ではデジタルカメラ１０の落下が確実に防止され、しかも停止状態では手首等がハンドストラップ１１から容易に外れる。
【００５０】
［第２実施形態］
続いて、本発明の第２実施形態について説明する。以下の第２実施形態の説明にあたっては、これまで説明してきた実施形態における各要素と同一の要素は同一の符号を付すか、または符号を省略し、前述の実施形態との相違点について説明する。
【００５１】
図８は本発明の第２実施形態であるデジタルカメラを示す外観図である。
【００５２】
図８に示すデジタルカメラ２０には、カメラ本体２００でハンドストラップ２１の巻取りを解除するための解除ボタン２７１ａが設けられており、ハンドストラップ２１の巻取端の側に滑り止め２１ｃが設けられている。
【００５３】
図９は、図８のカメラ本体２００内部に設けられた巻取機構１７０および荷重センサ２８０を模式的に示す図である。図９には、ハンドストラップ２１がカメラ本体２００に巻き取られた状態が示されている。
【００５４】
図９に示すデジタルカメラ２０には、モータの代わりに、伸縮する形状記憶合金からなるアクチュエータ２７２が備えられている。より詳細には、荷重センサ２８０にはひも状のアクチュエータ２７２が接続され、アクチュエータ２７２の他端は、ハンドストラップ２１の巻取端２１ｂに接続されている。ハンドストラップ２１の巻取端２１ｂの側には、滑り止め２１ｃが設けられている。アクチュエータ２７２は、第１の受け部材２７３に架け渡され、ハンドストラップ２１の滑り止め２１ｃが設けられた部分は第２の受け部材２７１に架け渡されている。また、アクチュエータ２７２がハンドストラップ２１に固定された部分とカメラ本体２００との間には、第１ばね部材２７５が設けられ、第１の受け部材２７３とカメラ本体２００との間には、第２ばね部材２７４が設けられており、第１ばね部材２７５および第２ばね部材２７４はともに、アクチュエータ２７２を伸張させる向きに付勢している。
【００５５】
図１０は、図９に示すアクチュエータ２７２の動作を説明する拡大された模式図である。図１０には、説明の便宜からアクチュエータ２７２が、受け部材に架け渡されずに、直線状に延びた状態で示されている。
【００５６】
図１０に示すアクチュエータ２７２は、ひも状に形成された形状記憶合金を折り返したものである。ひも状に形成された両端は、ともに荷重センサ２８０の一方側に接続されており、折り返された部分は、ハンドストラップ２１の巻取端２１ｂに接続されている。アクチュエータ２７２は、形状記憶合金を繊維状に加工して、さらにひも状に形成したものであり、電流が供給されると自己発熱して温度上昇することにより収縮する。形状記憶合金の材料としては、例えばＴｉ−Ｎｉ系の材料を用いることができるが、これに限らず他の材料を用いることもできる。図１０に示すように、本実施形態では、ひも状のアクチュエータ２７２の両端それぞれの付近にドライバ１７７が電気接続される。ドライバ１７７から電流が供給されると、自己発熱によりアクチュエータ２７２の温度が上昇し、矢印で示す方向に縮む。この結果、アクチュエータ２７２に接続されたハンドストラップ２１がカメラ本体２００内に巻き取られる。ドライバ１７７からの電流供給が停止すると、アクチュエータ２７２は伸びて元の長さに戻る。
【００５７】
図１１および図１２は、図９に示す第２の受け部材２７１と、ハンドストラップ２１のうちの第２の受け部材２７１に架け渡された部分とを拡大して示した図である。図１１は第２の受け部材２７１をカメラ本体２００の正面側から見た正面図であり、第２の受け部材２７１をカメラ本体２００の上方から見た平面図である。
【００５８】
図１１に示すように、ハンドストラップ２１の滑り止め２１ｃには、第２の受け部材２７１に当接する側に鋸歯状の凹凸が形成されている。一方、図１１および図１２に示すように、円柱状の第２の受け部材２７１の周面のうち、ハンドストラップ２１に接触する部分に係止突起２７１ｂが形成されている。第２の受け部材２７１は、円柱状の中心軸方向に移動自在に配置されており、カメラ本体２００の外部に突出した解除ボタン２７１ａを有している。また、第２の受け部材２７１は、第３ばね部材２７６によって、解除ボタン２７１ａがカメラ本体２００から突出する向きに付勢されている。
【００５９】
ハンドストラップ２１が電流供給されたアクチュエータ２７２の収縮によってカメラ本体２００内に巻き取られた後、電流供給が停止してアクチュエータ２７２が元の長さに伸びると、図１２のパート（ａ）に示すように、ハンドストラップ２１の滑り止め２１ｃの凹凸が第２の受け部材２７１の係止突起２７１ｂに係止するため、ハンドストラップ２１はカメラ本体２００の外部に出ることが阻止され、巻取り状態が維持される。なお、ハンドストラップ２１が巻き取られた状態において、滑り止め２１ｃと係止突起２７１ｂとの間に生じる係止力、第１ばね部材２７５の付勢力、第２ばね部材２７４の付勢力は次の式に示す関係に保たれている。
係止力  ＞  第２ばね部材２７４の付勢力  ＞  第１ばね部材２７５の付勢力
アクチュエータ２７２は、電流供給が停止してアクチュエータ２７２が伸びた状態でたるみが生じないよう、第１ばね部材２７５および第２ばね部材２７４の付勢力によって張られた状態となるが、これらの付勢力は係止力よりも小さいため、ハンドストラップ２１はカメラ本体２００の内部で弛んだ状態となる。また、第１ばね部材２７５の付勢力は、係止力よりも小さいため、ハンドストラップ２１がカメラ本体２００の外部に出ることが阻止される。また第２ばね部材２７４の付勢力は第１ばね部材２７５の付勢力より大きいため、第２ばね部材２７４によって付勢された第１の受け部材２７３は、アクチュエータ２７２を第２の受け部材２７１から遠ざかる向きに引き寄せ、ハンドストラップ２１がカメラ本体２００内部で弛む距離がより長く確保される。
【００６０】
使用者がハンドストラップ２１から手を外したい場合には、図１２のパート（ｂ）に示すように、解除ボタン２７１ａを押し込むことで、係止突起２７１ｂの位置がハンドストラップ２１の経路からずれて係止状態が解除され、ハンドストラップ２１がカメラ本体２００の外に引き出される。使用者がさらにハンドストラップ２１を引き出した場合には、第２ばね部材２７４が伸びることで、アクチュエータ２７２に加わる衝撃が緩衝される。
【００６１】
第２実施形態のデジタルカメラ２０における電気的構成は、図５に示す第１実施形態のデジタルカメラ１０の電気的構成に比べて、モータ１７１の代わりにアクチュエータ２７２が接続されている点が異なり、他の点は同様である。
【００６２】
図１３は、メインＣＰＵ１１０が行うメイン処理の手順を示すフローチャートである。
【００６３】
図１３に示す処理は、図６に示す第１実施形態での処理に比べて、ステップＳ２１の繰出駆動が無い点が異なり、他の点は同様である。これは、第２実施形態のデジタルカメラ２０において、ハンドストラップ２１の繰り出しは、使用者が解除ボタン２７１ａを押し込んで、ハンドストラップ２１をカメラ本体２００の外部に引き出すことによって行われるからである。
【００６４】
本実施形態のデジタルカメラ２０では、形状記憶合金からなるアクチュエータ２７２が採用されることで、ストラップ巻取機構２７０が小型化する。
【００６５】
［第３実施形態］
続いて、ハンドストラップを巻き取る際の巻取荷重が、操作によって設定可能な本発明の第３実施形態を説明する。
【００６６】
第３実施形態のデジタルカメラは、第１実施形態のデジタルカメラ１０に比べて、外観、機械的構成、電気的構成、およびメインＣＰＵによるメイン処理は同一であり、メインＣＰＵが実行する設定処理が異なる。以下の第３実施形態の説明にあたっては、これまで説明してきた第１実施形態における図を流用し、前述の第１実施形態との相違点について説明する。
【００６７】
図１４は、本発明の第３実施形態であるデジタルカメラのメインＣＰＵ（図５参照）が実行する設定処理の手順を示すフローチャートである。
【００６８】
図１４に示す設定処理は、図６に示すステップＳ１６の設定モードの判別処理で、メニュー／ＯＫキー１０１ｃ（図２参照）が操作され設定モードとなっている場合に行われる処理である。この設定モードでは、使用者がメニュー／ＯＫキー１０１ｃを押す度に、設定するパラメータの種類が変わっていき、所定の回数押すとストラップ設定となる。ストラップ設定では、使用者が十字キー１０１ｂの上側部分または下側部分を押す度に巻取荷重値が増減し、これと同時に、増減した巻取荷重値に応じてストラップ１１が巻取りまたは繰出しされる。使用者は、ストラップ１１が巻き取られる強さを実際に体感しながら、巻取荷重値を変更する。巻取荷重値は、画像表示ＬＣＤ１５０にも棒グラフとして表示される。使用者が再びメニュー／ＯＫキー１０１ｃを押すと、その時点での巻取荷重値で巻取荷重目標値が更新され、次回以降にカメラ本体１００が稼動状態となった場合には、更新された巻取荷重目標値に応じてハンドストラップ１１が巻き上げられることとなる。
【００６９】
図１４に示す設定処理を、図３および図５も参照して説明する。
【００７０】
この設定処理で、メインＣＰＵ１１０（図５参照）は、設定種類がストラップ設定か否かを判別する（ステップＳ３１）。このステップでは、メニュー／ＯＫキー１０１ｃが押された回数がストラップ設定に対応した所定の回数であった場合には、ステップＳ３３以降のストラップ設定処理が実行され、上記所定の回数以外の回数であった場合には、ステップＳ３２の撮影設定処理が実行される。撮影設定処理は、ストラップ設定処理以外の、例えば、撮影感度やフラッシュ動作等のパラメータを設定および更新するものである。
【００７１】
一方、ステップＳ３３では、目標値選択処理が実行される。メインＣＰＵ１１０（図５参照）は、ＥＥＰＲＯＭ１１０ａに記憶された巻取荷重目標値を読出し、十字キー１０１ｂの上側部分または下側部分が操作されるのを検出する度に、読み出した巻取荷重目標値を加算または減算する。加算または減算された巻取荷重目標値は画像表示ＬＣＤ１５０に棒グラフとして表示される。なお、第３実施形態のデジタルカメラの工場出荷時には、巻取荷重目標値として設定可能な最小値がＥＥＰＲＯＭ１１０ａに記憶されている。
【００７２】
次に、メインＣＰＵ１１０は、ドライバ１７７からモータ１７１に駆動電流を供給させる。ステップＳ３３で巻取荷重目標値を加算した場合には巻取機構１７０（図３参照）にハンドストラップ１１を巻き取らせる極性の電流を供給させ、減算した場合には巻取機構１７０（図３参照）にハンドストラップ１１を繰り出させる極性の電流を供給させる。また、メインＣＰＵ１１０は、荷重センサ１８０が出力する検知電圧をＡ／Ｄコンバータ１８１を介して監視する。メインＣＰＵ１１０は、検知電圧が、ＥＥＰＲＯＭ１１０ａに記憶された巻取荷重目標値に応じた電圧に達するまで、巻取機構１７０（図３参照）に動作を継続させる（ステップＳ３５：Ｙｅｓ）。検知電圧が巻取荷重目標値に応じた電圧に達すると（ステップＳ３５：Ｎｏ）巻取りを停止させる（ステップＳ３６）。
【００７３】
図１４に示す設定処理が実行される時点では、カメラ本体１００が稼動状態であり、ハンドストラップ１１が、すでにＥＥＰＲＯＭ１１０ａに記憶された巻取荷重目標値に対応した荷重で巻き取られている。つまり、ハンドストラップ１１が使用者の手を締め付けた状態となっている。上記ステップＳ３４からステップＳ３６までの処理によって、変更した巻取荷重に応じてハンドストラップ１１が使用者の手を締め付けるため、使用者が締め付け強さを体感しながら適度な巻取荷重目標値を選択することができる。
【００７４】
次のステップＳ３７で、メインＣＰＵ１１０は、メニュー／ＯＫキー１０１ｃが押下げ操作されたことを検知すると（ステップＳ３７：Ｙｅｓ）、ステップＳ３３の目標値選択で変更された値を、巻取荷重目標値としてＥＥＰＲＯＭ１１０ａに書き込む。これによって巻取荷重目標値が操作に応じた値に更新される。更新された巻取荷重目標値は、次回以降、カメラ本体１００が稼動状態となった際の、ハンドストラップ１１の巻き上げにおいても参照される（図６のステップＳ１３およびステップＳ１４参照）。
【００７５】
この図１４に示すステップＳ３３からステップＳ３８までの設定処理が、図５に示すメインＣＰＵ１１０で実行されたときの、このメインＣＰＵ１１０および十字キー１０１ｂの組合せが本発明にいう荷重更新部の一例に相当する。
【００７６】
本実施形態によれば、巻取荷重目標値が十字キー１０１ｂの操作に応じた値に変更されるので、使用者の好みに応じた適度なホールド性が得られる。また、従来は、使用者が適度なホールド性を得るために、デジタルカメラを使用する度、ストラップ長を調整する必要があったが、本実施形態によれば、ＥＥＰＲＯＭ１１０ａに記憶された巻取荷重目標値が操作に応じた値で更新されるので、使用者がハンドストラップ１１の巻取り強さを巻取りの都度調整する手間なしに、好みに応じたホールド性が得られる。
【００７７】
なお、上述した実施形態では、電子機器の例としてデジタルカメラを説明したが、本発明の電子機器はこれに限るものではなく、例えば携帯電話機や個人向け携帯情報端末（ＰＡＤ）等であってもよい。
【００７８】
また、上述した実施形態では、本発明のストラップを、両端のうちの１端の側が巻き取られるハンドストラップ１１として説明したが、本発明のストラップはこれに限られず、例えば両端が巻き取られるものであってもよい。
【００７９】
また、上述した実施形態では、ストラップの巻取り量調節を、荷重センサでの荷重検出によって行うものとして説明したが、本発明はこれに限られず、例えば、巻取りの時間を制御することによって調整するものであってもよい。ただし、荷重センサで荷重検出することで、ストラップに通された手首等の大きさに合わせてストラップの長さがたるみ無く適切に調整される。
【００８０】
また、上述した実施形態では、電源スイッチ１０１ａのオン状態への操作を受けて動作状態が稼動状態に切り替えられた場合に、ストラップが巻き取られるものとして説明したが、本発明はこれに限られず、例えば巻取制御部は、動作状態が停止状態に切り替えられた場合や、撮影モードやズーム撮影といった動作状態の切替えによってストラップを巻き取らせるものであってよい。
【００８１】
また、上述した第１実施形態では、巻取機構１７０としてウォーム１７２およびウォームホイール１７３を使用した例で説明したが、本発明の巻取機構はストラップを巻き取るものであればこの例に限られず、例えば、モータの軸に直接にストラップを巻き取るものであってもよい。
【００８２】
また、上述した第２実施形態では、形状記憶合金からなるアクチュエータ２７２に電流を流して自己発熱により収縮させる構成を説明したが、本発明はこれに限られず、例えばストラップ巻取機構が、外部からの熱供給を受けて収縮するアクチュエータを備えるものでもよい。例えば、形状記憶合金からなるアクチュエータをＣＣＤ固体撮像素子といった発熱部に近接させることによって、稼動状態でアクチュエータが収縮し、ストラップが巻き取られる構成としてもよい。また、第２実施形態では、ハンドストラップ２１の巻取り解除を解除ボタン２７１ａの押下げ操作によって行うものとして説明したが、巻取り解除はこれに限られず、例えば、カメラ本体の動作状態に合わせて駆動される電動のプランジャによって実現されるものであってもよい。
【図面の簡単な説明】
【００８３】
【図１】本発明の第１実施形態であるデジタルカメラを正面斜め上方から見た外観図である。
【図２】本発明の第１実施形態であるデジタルカメラを背面斜め上方から見た外観図である。
【図３】図１のカメラ本体内部に設けられた巻取機構および荷重センサの構成を模式的に示す図である。
【図４】巻込防止具の構造を示す断面図である。
【図５】図１および図２のデジタルカメラにおけるカメラ本体内部の電気的構成を示すブロック図である。
【図６】メインＣＰＵ１１０が行うメイン処理の手順を示すフローチャートである。
【図７】図１に示すデジタルカメラで、ハンドストラップが巻き取られる様子を示す図である。
【図８】本発明の第２実施形態であるデジタルカメラを示す外観図である。
【図９】図８のカメラ本体内部に設けられた巻取機構および荷重センサを模式的に示す図である。
【図１０】図９に示すアクチュエータの動作を説明する拡大された模式図である。
【図１１】図９に示す受け部材と、ハンドストラップのうちの受け部材に架け渡された部分とを拡大して示した正面図である。
【図１２】図９に示す受け部材と、ハンドストラップのうちの受け部材に架け渡された部分とを拡大して示した平面図である。
【図１３】第２実施形態におけるメインＣＰＵが行うメイン処理の手順を示すフローチャートである。
【図１４】本発明の第３実施形態であるデジタルカメラのメインＣＰＵが行う設定処理の手順を示すフローチャートである。
【符号の説明】
【００８４】
１０，２０    デジタルカメラ（電子機器）
１１，２１    ハンドストラップ（ストラップ）
１００，２００    カメラ本体（機器本体）
１０１ａ    電源スイッチ（メインＣＰＵと合わせて操作部）
１０１ｂ    十字キー（メインＣＰＵと合わせて荷重更新部）
１１０    メインＣＰＵ（巻取制御部）
１７０，２７０    巻取機構（ストラップ巻取機構）
１８０，２８０    荷重センサ
２７２    アクチュエータ
【図１】
2008096658.tif 000003
【図２】
2008096658.tif 000004
【図３】
2008096658.tif 000005
【図４】
2008096658.tif 000006
【図５】
2008096658.tif 000007
【図６】
2008096658.tif 000008
【図７】
2008096658.tif 000009
【図８】
2008096658.tif 000010
【図９】
2008096658.tif 000011
【図１０】
2008096658.tif 000012
【図１１】
2008096658.tif 000013
【図１２】
2008096658.tif 000014
【図１３】
2008096658.tif 000015
【図１４】
2008096658.tif 000016